(57)【特許請求の範囲】
【請求項１】
携行型時計のためのケースミドル部／アタッチメントピースであるケースミドル部／ホーンの接続デバイスであって、
第１のコネクターを備えるアタッチメントピースと、及び第２のコネクターを有するケースミドル部を備え、
前記第１のコネクターは、前記第２のコネクターと連係して、前記アタッチメントピースを前記ケースミドル部に取り付けるように構成しており、
前記第１のコネクターは、凹部がある舌部を備え、
前記第２のコネクターには、アンダーカット部を形成している溝があり、
前記アンダーカット部は、前記舌部にある前記凹部内に配置されるように構成しており、
前記ケースミドル部と前記アタッチメントピースは、前記第２のコネクターの前記アンダーカット部が前記第１のコネクターの前記舌部にある前記凹部内に配置されているときに、一体化されているように構成しており、
前記ケースミドル部と前記アタッチメントピースは、不可逆的に連結している
ことを特徴とする接続デバイス。
【請求項２】
携行型時計のためのケースミドル部／アタッチメントピースであるケースミドル部／ホーンの接続デバイスであって、
第１のコネクターを備えるアタッチメントピースと、及び第２のコネクターを有するケースミドル部を備え、
前記第１のコネクターは、前記第２のコネクターと連係して、前記アタッチメントピースを前記ケースミドル部に取り付けるように構成しており、
前記第１のコネクターは、凹部がある舌部を備え、
前記第２のコネクターには、アンダーカット部を形成している溝があり、
前記アンダーカット部は、前記舌部にある前記凹部内に配置されるように構成しており、
前記ケースミドル部と前記アタッチメントピースは、前記第２のコネクターの前記アンダーカット部が前記第１のコネクターの前記舌部にある前記凹部内に配置されているときに、一体化されているように構成しており、
前記舌部は、鋼によって作られている
ことを特徴とする接続デバイス。
【請求項３】
携行型時計のためのケースミドル部／アタッチメントピースであるケースミドル部／ホーンの接続デバイスであって、
第１のコネクターを備えるアタッチメントピースと、及び第２のコネクターを有するケースミドル部を備え、
前記第１のコネクターは、前記第２のコネクターと連係して、前記アタッチメントピースを前記ケースミドル部に取り付けるように構成しており、
前記第１のコネクターは、凹部がある舌部を備え、
前記第２のコネクターには、アンダーカット部を形成している溝があり、
前記アンダーカット部は、前記舌部にある前記凹部内に配置されるように構成しており、
前記ケースミドル部と前記アタッチメントピースは、前記第２のコネクターの前記アンダーカット部が前記第１のコネクターの前記舌部にある前記凹部内に配置されているときに、一体化されているように構成しており、
前記アタッチメントピースは、前記舌部のまわりにて成型によって形成されており、
この成型は、好ましくは、プラスチック材料を用いて行われる
ことを特徴とする接続デバイス。
【請求項４】
携行型時計のためのケースミドル部／アタッチメントピースであるケースミドル部／ホーンの接続デバイスであって、
第１のコネクターを備えるアタッチメントピースと、及び第２のコネクターを有するケースミドル部を備え、
前記第１のコネクターは、前記第２のコネクターと連係して、前記アタッチメントピースを前記ケースミドル部に取り付けるように構成しており、
前記第１のコネクターは、凹部がある舌部を備え、
前記第２のコネクターには、アンダーカット部を形成している溝があり、
前記アンダーカット部は、前記舌部にある前記凹部内に配置されるように構成しており、
前記ケースミドル部と前記アタッチメントピースは、前記第２のコネクターの前記アンダーカット部が前記第１のコネクターの前記舌部にある前記凹部内に配置されているときに、一体化されているように構成しており、
前記ケースミドル部は機械加工によって作られ、好ましくは、第２のコネクターは機械加工によって作られる
ことを特徴とする接続デバイス。
【請求項５】
前記舌部は、安静位置になることがあり、
前記舌部は、前記溝に挿入されたときに弾性変形するように構成しており、
前記舌部と前記アンダーカット部は、前記アンダーカット部が前記舌部にある前記凹部内に配置されるときに、前記舌部が実質的にその安静位置に戻るように構成している
ことを特徴とする請求項１〜４のいずれか一項に記載の接続デバイス。
【請求項６】
前記溝には、さらに、アンダーカット部があり、
前記舌部は、前記溝に挿入されるときに、このアンダーカット部に接触している状態で弾性的に曲がるように構成している
ことを特徴とする請求項１〜５のいずれか一項に記載の接続デバイス。
【請求項７】
前記凹部は、貫通凹部である
ことを特徴とする請求項１〜６のいずれか一項に記載の接続デバイス。
【請求項８】
前記第１のコネクターは、ほぞを備え、前記第２のコネクターには、ほぞ穴があり、
前記ほぞ穴は、前記アタッチメントピースの前記第１のコネクターが前記ケースミドル部の前記第２のコネクターに接触するように配置されるときに、前記ほぞをガイドするように構成している
ことを特徴とする請求項１〜７のいずれか一項に記載の接続デバイス。
【請求項９】
前記第１のコネクターは、複数のほぞを備え、第２のコネクターには、複数のほぞ穴があり、
前記ほぞ穴は、前記アタッチメントピースの前記第１のコネクターが前記ケースミドル部の前記第２のコネクターに接触するように配置されるときに、前記ほぞをガイドするように構成している
ことを特徴とする請求項８に記載の接続デバイス。
【請求項１０】
前記第２のコネクターには、前記第１のコネクターの前記舌部を支持する一又は複数の支持部があり、これによって、前記アンダーカット部が前記舌部にある前記凹部内に配置されているときに前記舌部の弾性変形を抑える
ことを特徴とする請求項１〜４のいずれか一項に記載の接続デバイス。
【請求項１１】
請求項１〜１０のいずれか一項に記載の接続デバイスを用いる取り付け方法であって、
前記アタッチメントピースの前記第１のコネクターを前記ケースミドル部の前記第２のコネクターに挿入して、前記アンダーカット部が前記舌部にある前記凹部内に配置されるようにする
ことを特徴とする方法。
【請求項１２】
請求項１１に記載の取り付け方法を使用して作る
ことを特徴とするケースミドル部／ホーンのアセンブリー。
【発明の詳細な説明】
【技術分野】
【０００１】
本発明は、概して、携行型時計（例、腕時計、懐中時計）のケースミドル部にホーンを取り付ける方法、ケースミドル部／ホーンの接続デバイス、及びケースミドル部／ホーンのアセンブリーに関する。
【背景技術】
【０００２】
スイス特許文献ＣＨ７０８８１５は、腕時計のケースミドル部のための外側要素に関する。この腕時計のケースミドル部のための外側要素は、腕時計のケースミドル部に取り付けられておりブレスレットストランドと腕時計のケースミドル部の間の接続領域を少なくとも部分的に覆う別個のカバープレートの形態となっている。
【０００３】
欧州特許文献ＥＰ０４６６６５５は、携行型時計のケース、及び携行型時計のケースにブレスレットを取り付けるデバイスに関する。この携行型時計のケースミドル部には、各ブレスレットストランドの端部を受けるように構成している１つ又は２つの凹部がある。ブレスレットの端部は、爪又は凹みによって構成している取り付け手段によって保持され、この爪又は凹みは、ブレスレットストランドの端部の近くに設けられた切欠き又は突起に対応しており、携行型時計のケース裏部の延長材に接触するように、又はケースの裏部又はミドル部に固定された中間部品に接触するように配置される。
【０００４】
欧州特許文献ＥＰ０１９７４１６は、携行型時計のケース要素と、少なくとも１つのストランドを備えるブレスレットとによって構成しているアセンブリーに関する。ストランドは、第１の熱可塑性プラスチック材料によって作られている。ケース要素は、第１の熱可塑性プラスチック材料の融点よりも高い融点を有する第２の熱可塑性プラスチック材料によって作られている。ケース要素は、ストランドの少なくとも１つの端部を包囲している部分を備え、この部分はこの端部と一体化されている。
【発明の概要】
【課題を解決するための手段】
【０００５】
本発明の第１の態様は、第１のコネクターを有する少なくとも１つのホーンを備えるアタッチメントピースと、第２のコネクターを有するケースミドルとを備える、携行型時計のためのケースミドル部／アタッチメントピース（以下、「ケースミドル部／ホーン」）の接続デバイスに関する。前記第１のコネクターは、前記第２のコネクターと連係して前記ホーンを前記ケースミドル部に取り付けるように構成しており、前記第１のコネクターは、凹部がある舌部を備え、前記第２のコネクターには、アンダーカット部のある溝があり、このアンダーカット部は、前記舌部にある凹部内に配置されるように構成しており、前記ケースミドル部と前記ホーンは、前記第２のコネクターの前記アンダーカット部が第１のコネクターの舌部にある凹部内に配置されているときに一体化されているように構成している。
【０００６】
「アンダーカット部のある溝」とは、アンダーカット部を部分的にでも満たす固体材料の直接の解放を防ぐ形状の溝を意味する。
【０００７】
「ケースミドル部とアタッチメントピースが一体化されているように構成している」とは、アタッチメントピースが、接触によってケースミドル部に可逆的又は不可逆的に連結するように構成していることを意味する。好ましくは、この連結又は結合は、不可逆的である。「不可逆的な連結」とは、ケースミドル部をアタッチメントピースから分離するためにはコネクターの構造を破壊する必要性があるようなあらゆる連結を意味する。
【０００８】
なお、このようなデバイスによって、ケースミドル部と、少なくとも１つの携行型時計ホーンを備えるアタッチメントピースとの接続が容易になることを理解することができる。実際、第２のコネクターのアンダーカット部を第１のコネクターの舌部にある凹部内に配置するためには、ケースミドル部とアタッチメントピースの間に圧縮を与えることで十分である。このように、アンダーカット部のおかげで、圧縮とは反対の力によって取り外すことができなくなる。アタッチメントピースとケースミドル部は、一体化されている。
【０００９】
好ましい実施形態において、舌部は、溝に挿入されているときに弾性変形するように構成しており、前記舌部と前記アンダーカット部は、アンダーカット部が舌部にある凹部内に配置されるときに、舌部が実質的にその安静位置に戻るように、好ましくはその安静位置に戻るように、構成している。
【００１０】
好ましくは、溝は、長さＬにわたって延在している。長さＬは、溝１に挿入されるときに舌部が弾性変形する長さに対して、１０〜９０％の範囲、好ましくは４０〜８０％の範囲、より好ましくは５０〜７０％の範囲、最も好ましくは６０〜７０％の範囲であることができる。このようにして２つのコネクターがしっかりと連結されることを理解することができる。また、この構成によれば、２つのコネクターの一方及び／又は他方に力のモーメントが加わったときにコネクターが離脱及び／又は破損をしてしまうリスクを軽減することができる。
【００１１】
前記溝には、舌部が溝内に挿入されているときに舌部が弾性的に曲がるように構成しているアンダーカット部があることができる。このようにして、第２のコネクターのアンダーカット部が第１のコネクターの舌部にある凹部に配置される時点まで、アンダーカット部によって舌部の弾性変形（すなわち、弾性的な曲がり）が強制され、これを伴う。
【００１２】
好ましくは、前記凹部は、貫通凹部である。
【００１３】
一実施形態において、前記第１のコネクターは、ほぞを備え、前記第２のコネクターには、ほぞ穴がある。前記ほぞ穴は、前記ホーンの前記第１のコネクターが前記ケースミドル部の前記第２のコネクターに接触するように配置されているときに、前記ほぞをガイドするように構成している。好ましい実施形態において、前記第１のコネクターは複数のほぞを備え、前記第２のコネクターには複数のほぞ穴がある。前記ほぞ穴は、前記ホーンの前記第１のコネクターが前記ケースミドル部の前記第２のコネクターに接触するように配置されているときに、前記ほぞをガイドするように構成している。なお、一又は複数のほぞ及び一又は複数のほぞ穴の存在によって、ガイドされた状態で第１のコネクターを第２のコネクター内に挿入することが可能になることを理解することができる。複数のほぞ穴及びほぞの存在によって、第１及び／又は第２のコネクターが強制的に連結されるときなどに、不適切な挿入が発生するリスクを軽減することができる。
【００１４】
好ましくは、前記第２のコネクターは、前記第１のコネクターの舌部を支持する一又は複数の支持部を備え、これによって、前記アンダーカット部が前記舌部にある凹部に配置されるときに前記舌部の弾性変形を抑えることができる。前記一又は複数の支持部は、舌部の弾性変形を、例えば立体的に（すなわち、幾何学的に）、制限することができる。
【００１５】
舌部は、好ましくは、鋼によって作られる。
【００１６】
アタッチメントピースの残り（舌部以外）は、好ましくは、舌部とは異なる材料によって作られる。一実施形態において、アタッチメントピースの残りは、舌部のまわりにて成型によって形成され、舌部はアタッチメントピースから突き出る。この成型による形成は、好ましくは、プラスチック材料を用いて行われる。前記舌部のエッジ体をこのアタッチメントピースの残りの成型物で囲むことができる。
【００１７】
第２のコネクターを機械加工によって作ることができ、前記ケースミドル部を好ましくは機械加工によって作る。前記ケースミドル部は、好ましくは鋼によって作られる。
【００１８】
本発明の第２の態様は、本発明の第１の態様に係るケースミドル部／ホーンの接続デバイスを用いる取り付け方法に関する。この方法においては、前記アタッチメントピースの前記第１のコネクターを前記ケースミドル部の前記第２のコネクターに挿入して、前記アンダーカット部が前記舌部にある凹部内に配置されるようにする。
【００１９】
本発明の第３の態様は、本発明の第２の態様に係る取り付け方法を用いて得られるケースミドル部／ホーンのアセンブリーに関する。
【００２０】
添付の図面を参照しながら特定の有利な実施形態についての下記の詳細な説明を読むことによって、本発明の他の特異性や特徴が明らかになるであろう。
【図面の簡単な説明】
【００２１】
【図１】本発明の一実施形態に係るケースミドル部／ホーンのアセンブリーの斜視図である。
【図２】本発明の一実施形態に係るケースミドル部とアタッチメントピースの斜視図である。
【図３】本発明の一実施形態に係るケースミドル部とアタッチメントピースの斜視図である。
【図４】本発明の一実施形態に係るケースミドル部とアタッチメントピースの斜視図である。
【図５】本発明の一実施形態に係るケースミドル部とアタッチメントピースの断面図である。
【図６】ホーンをケースミドル部に挿入している間の本発明の一実施形態に係るケースミドル部及びアタッチメントピースの断面図である。
【図７】本発明の一実施形態に係るケースミドル部／ホーンのアセンブリーの断面図である。
【発明を実施するための形態】
【００２２】
読者は、図面がスケール通りではないということに注意する必要がある。また、簡明性のために、高さ、長さ及び／又は幅の割合を正しく表現していない場合がある。最後に、特に、接触するように配置されているときのコネクターの間の空間又は凹部は、本発明の実際の実施形態よりも大きいことができ、小さいことができる。
【００２３】
図１を参照すると、本発明の一実施形態に係る、ケースミドル２と、少なくとも１つのホーン４を備えるアタッチメントピースとのアセンブリー（以下、「ケースミドル部／ホーンのアセンブリー」と呼ぶ）について説明する。ケースミドル部２は、埃、湿気、衝撃などから携行型時計のムーブメントを保護するために用いられる携行型時計ケース（部分的に示している）の要素である。携行型時計のムーブメントを収容するのは、携行型時計ケースの中央部分である。説明している実施形態において、ケースミドル部２は環状である。しかし、正方形、長方形、楕円などの他の形状も適している。ケースミドル部２は、その中程度の高さに位置する主平面Ｐを定める。
【００２４】
少なくとも１つのホーン４を備えるアタッチメントピースによって、ブレスレットをケースミドル部２に取り付けることができる。図１に示している実施形態において、アタッチメントピース４は、４つのホーン４ａを備え、そのそれぞれには、ブレスレット（図示せず）の長手方向に対する横断方向にて整列している穴６があり、穴６を通るピンなどによってブレスレットがホーン４ａに取り付けられるように構成している。アタッチメントピースにブレスレットを取り付ける他の手段も好適であることは明らかである。また、携行型時計の種類に応じて、ホーン４ａの形状、長さ、幅、数は異なることができる。
【００２５】
図２〜５は、本発明の好ましい実施形態における、アタッチメントピース４とケースミドル部２が連結していないときのアタッチメントピース４とケースミドル部２を示している。アタッチメントピース４は第１のコネクター８を備え、ケースミドル部２は第２のコネクター１０を備える。第１のコネクター８は、第２のコネクター１０と連係してアタッチメントピース４をケースミドル部２に取り付けるように構成している。
【００２６】
第１のコネクター８には、主平面Ｐに垂直な環状の内面１２があり、これは、ケースミドル部２とホーン４が連結しているときにケースミドル部２と直接接触するように構成している。第１のコネクター８は、２つのほぞ１４と舌部１６を備え、これらはすべて、環状の内面１２から内側（すなわち、ケースミドル部２の方に）に突き出ている。
【００２７】
一般的に、（例えば、舌部の、貫通凹部の）要素の長さは、平面Ｐに対して共線的な平面内において要素から最も遠い２点の間の（ユークリッド）距離として定められる。
【００２８】
鋼製の舌部１６には、舌部１６の長さＬ’にわたって貫通凹部１８がある。長さＬ’は、舌部１６の長さの７０〜９５％、好ましくは７０〜９０％、より好ましくは７０〜８０％の範囲である。
【００２９】
アタッチメントピース４の残り（すなわち、舌部以外）は、舌部１６のまわりにて成型によって形成される。このようにして、舌部１６は、アタッチメントピース４の残りと一体化される。アタッチメントピース４の残りは、プラスチック材料によって作られる。
【００３０】
具体的には、舌部１６には、２つの曲がったエッジ体があり、これらはこれらの端部にてつながっている。前記のオーバーモールドの成型は、半径方向にて最も外側のエッジ体が成型物内にて成型物に囲まれ、半径方向にて最も内側のエッジ体が自由であり内側に突き出るように行う。オーバーモールド後にて２つのエッジ体の間に残る自由空間が、貫通凹部１８に対応する。なお、舌部１６のまわりにてアタッチメントピース４の残りにて舌部１６を囲むために他の技術も用いることができることを理解することができる。
【００３１】
内側に突き出る、アタッチメントピース４の半径方向にて最も内側のエッジ体３８には、平坦な半径方向外側の当接面１９がある。平坦な面１９は、平面Ｐに対して垂直であり、舌部１６の長さの２０〜８０％、好ましくは３０〜７０％、より好ましくは２５〜４０％、の範囲の長さＬ”にわたって延在している。
【００３２】
図２〜５に示している舌部１６の状態（及び位置）は、舌部１６の安静状態（及び安静位置）である。
【００３３】
ほぞ１４は、アタッチメントピース４の両側にて対称に配置されており、円筒状であり、その円筒の底部が主平面Ｐに対して垂直である。他の実施形態において、ほぞ１４は、平行六面体、コーン状などの他の形状を有することができる。
【００３４】
ケースミドル部２は、アタッチメントピース４をケースミドル部２に取り付けるために、アタッチメントピース４の第１のコネクター８と連係するように構成している第２のコネクター１０を含む。特に、第２のコネクターは、ケースミドル部２の半径方向外側の面から半径方向にてセットバックされたオブロング状の曲面２０を有している。オブロング状の曲面２０は、アタッチメントピース４の内側環状面１２に直接接触するように配置されるように構成している。第２のコネクター１０には、溝２２、２つのほぞ穴２４、及び舌部のための２つの支持部２５があり、これらはすべて、オブロング状の曲面２０に対する凹みを形成している。
【００３５】
溝には、アンダーカット部２６がある。アンダーカット部２６は、長さＬにわたって延在している。長さＬは、平坦な面１９の長さＬ”と実質的に等しいことができる。長さＬ”に対する長さＬの比は、０．７〜１．３の範囲、好ましくは０．８〜１．２の範囲、より好ましくは０．９５〜１．１５の範囲である。
【００３６】
アンダーカット部２６には、半径方向内側の平坦な当接面２８があり、これは、平面Ｐに対して実質的に垂直であり、好ましくはリエントラント角度が５°のオーダーである。また、アンダーカット部２６には、凹部３０があり、これは、半径方向内側の平坦な当接面２８と半径方向外側の平坦な当接面３２によって境界が形成される。半径方向外側の平坦な当接面３２は、平面Ｐに対して垂直である。舌部の高さＨ’に対する半径方向外側の面３２の高さＨの比は、０．３〜１．５、好ましくは０．３５〜０．５である。
【００３７】
また、溝には、平坦なアンダーカット面３６があるアンダーカット部３４がある。平坦なアンダーカット面３６は、平面Ｐに対して角度αを形成する。角度αは、１０〜４５°、好ましくは１５〜４０°、より好ましくは２０〜３５°の範囲である。
【００３８】
また、溝には、舌部を支持するための２つの支持部２５がある。２つの支持部２５は、溝の両端部分にて、横方向に延在するように対称に構成している。舌部の高さＨ’に対する支持部２５の高さＨ”の比は、０．８〜１．５、好ましくは１〜１．１５の範囲である。また、各支持部２５の長さＬ（”）は、舌部の長さの２．５〜２０％、好ましくは５〜１５％、より好ましくは７〜１３％の範囲である。
【００３９】
ほぞ穴２４は、第２のコネクター１０の両側にて（実質的に第２のコネクター１０の両端部分にて横方向にて）対称的に形成されている。ほぞ穴２６は、円筒状であり、その円筒の底部が主平面Ｐに対して垂直となっている。他の実施形態において、ほぞ穴２６は、平行六面体、コーン状などの他の形状であることができる。
【００４０】
図６は、ケースミドル部２へのアタッチメントピース４の挿入を示している断面図であり、これらの要素が係合し始めるときを示している。突出エッジ体３８は、平坦なアンダーカット面３６に接触する際に弾性変形する。具体的には、突出エッジ体３８は、平坦なアンダーカット面３６によって曲げられる。支持部２５と、ほぞ穴２４内に配置されるほぞ１４（図示せず−例えば、図１〜５を参照）とによって、ケースミドル部の他の部分とエッジ体３８の両端部分が適切な位置に保持される。なお、これに関連して、ほぞ１４と舌部１６が、（実質的に）同時にほぞ穴２４と部分２５、３４にそれぞれ接触することに留意すべきである。したがって、ホーンの第１のコネクターが第２のコネクターに接触するように配置されるときに、ほぞ穴と支持部がほぞと突出エッジ体の両端部分をガイドする。
【００４１】
図７は、ケースミドル部２へのアタッチメントピース４の挿入を示している断面図であり、これらの要素どうしが係合して一体化されているときを示している。エッジ体は、アンダーカット部２６の凹部３０に挿入されることによって、安静位置に戻っている。この挿入は、エッジ体がアンダーカット部３６を通り越したとき（特に、平坦な半径方向外側の当接面１９がアンダーカット部２６の半径方向外側の平坦な止め面３２を通り越したとき）に発生したものである。別の実施形態において、エッジ体は、実質的にのみ安静位置に戻るだけであることができる。これは、凹部が貫通凹部ではなく、アンダーカット部によってエッジ体が安静位置に戻ることが可能にならない場合などに当てはまる。
【００４２】
アンダーカット部２６の半径方向外側の平坦な当接面３２は、突出エッジ体３８の半径方向外側の平坦な当接面１９に直接接触している。このようにして、ケースミドル２とアタッチメントピース４は一体化され、ケースミドル部／ホーンのアセンブリーを形成する。実際に、アタッチメントピース４をケースミドル部２に挿入するために与える力と反対の力を与えても、これらの要素どうしが分離することはない。
【００４３】
また、アタッチメントピースの内側の環状面１２と、ケースミドル部２のオブロング状の曲面２０は、ケースミドル部とアタッチメントピースが連結しているときに、必要に応じて１／１０ｍｍのオーダーのクリアランスがある状態で、直接接触している。
【００４４】
舌部の高さＨ’に対する支持部２５の高さＨ”の比が実質的に同じであるので、突出端部３８のいずれの弾性変形も、突出エッジ体３８がケースミドル部２のコネクター１０に挿入されていない場合に発生することがある変形に比べて、大幅に低減される。実際に、支持部２５は、特にアタッチメントピースが表盤に垂直な方向の力を受ける場合に、エッジ体３８の弾性変形を立体的に抑える。その結果、アタッチメントピースがケースミドル部から外れることは、それらどうしを取り付けることよりも、はるかに発生しにくくなる。
【００４５】
ここでいくつかの特定の実施形態について詳細に説明したが、当業者であれば、ここでの本発明の開示によって与えられる教示内容全体に照らして、様々な変更や代替形態を開発することができるであろう。したがって、ここで説明した特定の構成及び／又は方法は、本発明の範囲を限定する意図はないものであり、純粋に例示的に与えることを意図しているものである。
【符号の説明】
【００４６】
２  ケースミドル部
４  アタッチメントピース
４ａ  ホーン
６  穴
８  第１のコネクター
１０  第２のコネクター
１２  環状の内面
１４  ほぞ
１６  舌部
１８  凹部
２０  オブロング状の曲面
２２  溝
２４  ほぞ穴
２５  支持部
２６  アンダーカット部
３８  突出エッジ体
【図１】
0006980867.tif 000002
【図２】
0006980867.tif 000003
【図３】
0006980867.tif 000004
【図４】
0006980867.tif 000005
【図５】
0006980867.tif 000006
【図６】
0006980867.tif 000007
【図７】
0006980867.tif 000008